(57)【要約】【課題】  少ない部品点数でフロントパネルを確実に固定すること。【解決手段】    前面及び上面が開放状態で箱型に形成されその内部に装置本体１を配置したメインシャーシ２を有し、該メインシャーシ２の前面にフロントパネル３が取り付けられ、トップカバー４及びボトムカバー５が、矩形板状カバー本体４Ａ，５Ａと、該カバー本体４Ａ，５Ａの全周に一体形成した平面視略ロ字状の環状縁枠４Ｂ，５Ｂとを有しており、トップカバー４をメインシャーシ２の上面に被せて該トップカバー４の環状縁枠４Ｂをそのフロントパネル３及びメインシャーシ２の上縁部に外嵌させ、ボトムカバー５をメインシャーシ２の下面に被せて該ボトムカバー５の環状縁枠５Ｂをそのフロントパネル３及びメインシャーシ２の下縁部に外嵌させる。【選択図】        図２
2007179617.tif 000002
【特許請求の範囲】
【請求項１】
前面及び上面が開放状態で箱型に形成されその内部に装置本体を配置したメインシャー
シを有し、該メインシャーシの前面にフロントパネルが取り付けられ、該フロントパネル
の天板に接近してメインシャーシの両側板間に補強板が渡し掛けられると共に、該補強板
の両端がビスによりメインシャーシに止着され、トップカバーの前端突起部を前記補強板
とフロントパネルの天板との間に差し込んで該トップカバーを前記メインシャーシの上面
に被せると共に、ボトムカバーの前端突起部をメインシャーシの下面とフロントパネルの
底板との間に差し込んで該ボトムカバーを前記メインシャーシの下面に被せており、前記
フロントパネルのディスク挿入口から装置本体にディスクを挿入し、その挿入を装置本体
の上面前方に配置したセンサーで検知し、その検知信号に基づいて装置本体を駆動し、フ
ロントパネルに設けた操作部の操作釦を操作することにより、ディスクに対して再生や記
録または消去を行うようにしたディスク装置において、前記補強板及び該補強板を止着す
るビスを省略し、前記トップカバー及びボトムカバーが、矩形板状カバー本体と、該カバ
ー本体の全周に一体形成した平面視略ロ字状の環状縁枠とを有し、前記フロントパネルの
上縁部及び下縁部に凹溝が凹設されると共に、該各凹溝に対向して前記トップカバー及び
ボトムカバーの環状縁枠の前板に凸条部が一体突設され、メインシャーシの後板の上縁部
及び下縁部にビス孔が形成されると共に、該ビス孔に対向して前記トップカバー及びボト
ムカバーの環状縁枠の後板に連通孔が貫設されており、前記各凸条部を対向する各凹溝に
嵌入させることにより、トップカバーをメインシャーシの上面に被せて該トップカバーの
環状縁枠をフロントパネル及びメインシャーシの上縁部に外嵌させ、ボトムカバーをメイ
ンシャーシの下面に被せて該ボトムカバーの環状縁枠をフロントパネル及びメインシャー
シの下縁部に外嵌させ、各連通孔を通して各ビス孔にビスをねじ込むことにより、そのト
ップカバー及びボトムカバーをフロントパネル及びメインシャーシに固定することを特徴
とするディスク装置。
【請求項２】
前面及び上面が開放状態で箱型に形成されその内部に装置本体を配置したメインシャー
シを有し、該メインシャーシの前面にフロントパネルが取り付けられ、前記メインシャー
シの上面にトップカバーを被せると共に、その下面にボトムカバーを被せており、前記フ
ロントパネルのディスク挿入口から装置本体にディスクを挿入し、その挿入を装置本体の
上面前方に配置したセンサーで検知し、その検知信号に基づいて装置本体を駆動し、フロ
ントパネルに設けた操作部の操作釦を操作することにより、ディスクに対して再生や記録
または消去を行うようにしたディスク装置において、前記トップカバー及びボトムカバー
が、矩形板状カバー本体と、該カバー本体の全周に一体形成した平面視略ロ字状の環状縁
枠とを有しており、トップカバーをメインシャーシの上面に被せて該トップカバーの環状
縁枠をフロントパネル及びメインシャーシの上縁部に外嵌させ、ボトムカバーをメインシ
ャーシの下面に被せて該ボトムカバーの環状縁枠をフロントパネル及びメインシャーシの
下縁部に外嵌させることを特徴とするディスク装置。
【請求項３】
前記フロントパネルの上縁部及び下縁部に凹溝が凹設されると共に、該各凹溝に対向し
て前記トップカバー及びボトムカバーの環状縁枠の前板に凸条部が一体突設され、メイン
シャーシの後板の上縁部及び下縁部にビス孔が形成されると共に、該ビス孔に対向して前
記トップカバー及びボトムカバーの環状縁枠の後板に連通孔が貫設されており、前記各凸
条部を対向する各凹溝に嵌入させることにより、トップカバー及びボトムカバーをメイン
シャーシの上下面に被せ、各連通孔を通して各ビス孔にビスをねじ込むことにより、その
トップカバー及びボトムカバーをフロントパネル及びメインシャーシに固定することを特
徴とする請求項２に記載のディスク装置。
【発明の詳細な説明】
【技術分野】
【０００１】
本発明は、例えばスロットイン式のＤＶＤプレーヤやＤＶＤレコーダなどのディスク装
置に関し、特に、少ない部品点数でフロントパネルを確実に固定するものである。
【背景技術】
【０００２】
従来、ディスク装置の一例として図６〜図９に示すものがある。これは、横置き（また
は縦置き）したスロットイン式ＤＶＤプレーヤであって、前面及び上面が開放状態で箱型
に形成され内部に装置本体１を配置した合成樹脂製メインシャーシ２を有し、該メインシ
ャーシ２の前面に合成樹脂製フロントパネル３が取り付けられ、前記メインシャーシ２の
上面に合成樹脂製トップカバー４を被せると共に、その下面に合成樹脂製ボトムカバー５
を被せている。
【０００３】
前記フロントパネル３とトップカバー４とを連結する技術として特許文献１に記載した
ものがある。これは、フロントパネル３の係合用穴にトップカバー４の爪及び切起こし部
を係合させるものであるが、これでは、フロントパネル３とトップカバー４との連結強度
が小さいため、トップカバー４の前端が沈み込んで、そのフロントパネル３とトップカバ
ー４との間に段差が生じたり隙間が生じることがある。
【０００４】
上記難点を解消する技術として図７〜図９に示すものが考えられている。これは、フロ
ントパネル３の天板３ａに接近してメインシャーシ２の両側板２ａ，２ｂに一体形成した
ボス６間に金属製補強板７を渡し掛けると共に、該補強板７の両端を貫通して各ボス６の
ねじ孔にビス８をねじ込むことにより、その補強板７がメインシャーシ２に止着され、フ
ロントパネル３の裏面上端から天板３ａに接近して後方に延びる複数（この例では３つ）
の上側突片９が補強板７上に載置され、フロントパネル３の裏面下端から底板３ｂに接近
して後方に延びる複数（この例では３つ）の下側突片１０がメインシャーシ２の底板２ｃ
に着脱可能に係止されている。
【０００５】
図８に示すように、トップカバー４の前板４ａ及びボトムカバー５の前板５ａに前端突
起部１２が一体突設されると共に、該トップカバー４の両側板４ｂ，４ｃ及びボトムカバ
ー５の両側板５ｂ，５ｃにフック１３が突設され、そのトップカバー４の後板４ｄ及びボ
トムカバー５の後板５ｄの両端に連通孔１４が形成され、前記各フック１３に対向してメ
インシャーシ２の両側板２ａ，２ｂにフック孔１５が貫設され、前記各連通孔１４に対向
してメインシャーシ２の後板２ｄの上縁部及び下縁部の裏面に一体突設したボス１６にビ
ス孔１６ａが形成され、また、各上側突片９に係合孔９ａを貫設すると共に、該各係合孔
９ａに対向して前端突起部１２の下面に係合片１２ａが一体突設されている。
【０００６】
組立手順を説明すると、図７及び図９に示すように、トップカバー４の前端突起部１２
を補強板７上の上側突片９とフロントパネル３の天板３ａとの間の隙間に差し込むと共に
、各係合片１２ａを各係合孔９ａに係合させ、且つ、トップカバー４の各フック１３を各
フック孔１５に係合させることにより、トップカバー４をメインシャーシ２の上面に被せ
る。また、ボトムカバー５の前端突起部１２をメインシャーシ２の底板２ｃ下の下側突片
１０とフロントパネル３の底板３ｂとの間の隙間に差し込み、且つ、ボトムカバー５の各
フック１３を各フック孔１５に係合させることにより、ボトムカバー５をメインシャーシ
２の下面に被せる。次に、各連通孔１４を通して各ビス孔１６ａにビス１７をねじ込むこ
とにより、トップカバー４及びボトムカバー５をメインシャーシ２に固定する。
【０００７】
図６中、１８はフロントパネル３に形成したディスク挿入口、１９は各種操作釦１９ａ
などからなる操作部、図７中、２０は装置本体１の上面前方に配置したディスク検知用セ
ンサーである。
【０００８】
装置本体１の操作手順を説明すると、図６に示すように、フロントパネル３のディスク
挿入口１８から装置本体１にディスクＤを挿入し、その挿入をセンサー２０で検知し、そ
の検知信号に基づいて装置本体１の光ピックアップなどを駆動し、操作部１９を操作する
ことにより、ディスクＤに対して再生や記録または消去を行う。
【特許文献１】実開平４−１３５４３６号公報
【発明の開示】
【発明が解決しようとする課題】
【０００９】
上記従来の構成では、沈み込み防止用補強板７及とそれを固定するための２本のビス８
を用いている分だけ部品点数が増加して、製作費が高くつく。
【００１０】
また、補強板７とセンサー２０とが接近しているので、例えばトップカバー４に過大な
負荷がかかって補強板７の中央部が下向きに撓んだときに、その補強板７の中央部がセン
サー２０に接触してショート事故を起こすおそれもある。
【００１１】
更に、フロントパネル３側の係合孔９ａとそれに係合するトップカバー４側の係合片１
２ａとの間に隙間が必然的に生じるので、フロントパネル３が前後に不測に動きやすく、
ユーザに不快感を与える。しかも、フロントパネル３が前方に動くことにより、操作釦１
９ａが相対的に後方に沈んで、その操作釦１９ａの押し込み操作が不確実になるおそれも
ある。
【００１２】
本発明は、上記従来の欠点に鑑み、少ない部品点数でフロントパネルを確実に固定する
ことができるようにしたディスク装置を提供することを目的としている。
【課題を解決するための手段】
【００１３】
上記目的を達成するため、請求項１に記載の発明は、前面及び上面が開放状態で箱型に
形成されその内部に装置本体を配置したメインシャーシを有し、該メインシャーシの前面
にフロントパネルが取り付けられ、該フロントパネルの天板に接近してメインシャーシの
両側板間に補強板が渡し掛けられると共に、該補強板の両端がビスによりメインシャーシ
に止着され、トップカバーの前端突起部を前記補強板とフロントパネルの天板との間に差
し込んで該トップカバーを前記メインシャーシの上面に被せると共に、ボトムカバーの前
端突起部をメインシャーシの下面とフロントパネルの底板との間に差し込んで該ボトムカ
バーを前記メインシャーシの下面に被せており、前記フロントパネルのディスク挿入口か
ら装置本体にディスクを挿入し、その挿入を装置本体の上面前方に配置したセンサーで検
知し、その検知信号に基づいて装置本体を駆動し、フロントパネルに設けた操作部の操作
釦を操作することにより、ディスクに対して再生や記録または消去を行うようにしたディ
スク装置において、前記補強板及び該補強板を止着するビスを省略し、前記トップカバー
及びボトムカバーが、矩形板状カバー本体と、該カバー本体の全周に一体形成した平面視
略ロ字状の環状縁枠とを有し、前記フロントパネルの上縁部及び下縁部に凹溝が凹設され
ると共に、該各凹溝に対向して前記トップカバー及びボトムカバーの環状縁枠の前板に凸
条部が一体突設され、メインシャーシの後板の上縁部及び下縁部にビス孔が形成されると
共に、該ビス孔に対向して前記トップカバー及びボトムカバーの環状縁枠の後板に連通孔
が貫設されており、前記各凸条部を対向する各凹溝に嵌入させることにより、トップカバ
ーをメインシャーシの上面に被せて該トップカバーの環状縁枠をフロントパネル及びメイ
ンシャーシの上縁部に外嵌させ、ボトムカバーをメインシャーシの下面に被せて該ボトム
カバーの環状縁枠をフロントパネル及びメインシャーシの下縁部に外嵌させ、各連通孔を
通して各ビス孔にビスをねじ込むことにより、そのトップカバー及びボトムカバーをフロ
ントパネル及びメインシャーシに固定することを特徴としている。
【００１４】
請求項２に記載の発明は、前面及び上面が開放状態で箱型に形成されその内部に装置本
体を配置したメインシャーシを有し、該メインシャーシの前面にフロントパネルが取り付
けられ、前記メインシャーシの上面にトップカバーを被せると共に、その下面にボトムカ
バーを被せており、前記フロントパネルのディスク挿入口から装置本体にディスクを挿入
し、その挿入を装置本体の上面前方に配置したセンサーで検知し、その検知信号に基づい
て装置本体を駆動し、フロントパネルに設けた操作部の操作釦を操作することにより、デ
ィスクに対して再生や記録または消去を行うようにしたディスク装置において、前記トッ
プカバー及びボトムカバーが、矩形板状カバー本体と、該カバー本体の全周に一体形成し
た平面視略ロ字状の環状縁枠とを有しており、トップカバーをメインシャーシの上面に被
せて該トップカバーの環状縁枠をフロントパネル及びメインシャーシの上縁部に外嵌させ
、ボトムカバーをメインシャーシの下面に被せて該ボトムカバーの環状縁枠をフロントパ
ネル及びメインシャーシの下縁部に外嵌させることを特徴としている。
【００１５】
請求項３に記載の発明は、請求項２に記載の発明において、前記フロントパネルの上縁
部及び下縁部に凹溝が凹設されると共に、該各凹溝に対向して前記トップカバー及びボト
ムカバーの環状縁枠の前板に凸条部が一体突設され、メインシャーシの後板の上縁部及び
下縁部にビス孔が形成されると共に、該ビス孔に対向して前記トップカバー及びボトムカ
バーの環状縁枠の後板に連通孔が貫設されており、前記各凸条部を対向する各凹溝に嵌入
させることにより、トップカバー及びボトムカバーをメインシャーシの上下面に被せ、各
連通孔を通して各ビス孔にビスをねじ込むことにより、そのトップカバー及びボトムカバ
ーをフロントパネル及びメインシャーシに固定することを特徴としている。
【発明の効果】
【００１６】
請求項１に記載の発明は実施の一形態（図１〜図５参照）に対応するものであって、こ
れによれば、トップカバーをフロントパネル及びメインシャーシの上縁部に外嵌させるか
ら、そのトップカバーが従来のように沈み込んでフロントパネルとの間に段差や隙間が生
じることがなく、従来の沈み込み防止用補強板とそれを止着するためのビスとが不要とな
り、その不要となった分だけ、部品点数を少なくして製作費を安くすることができる。
【００１７】
また、従来の補強板に相当するものがないから、その補強板の中央部が下向きに撓んで
ディスク検知用センサーに接触してショート事故を起こすこともなく、安全性に優れてい
る。
【００１８】
更に、環状縁枠によりフロントパネルが前後に動かないようにメインシャーシに固定さ
れているので、そのフロントパネルが従来のように前後に不測に動いてユーザに不快感を
与えることがなく、しかも、操作釦が従来のように相対的に沈み込んでその押し込み操作
が不確実になることもないから、使い勝手がよい。
【００１９】
また更に、フロントパネルの凹溝にトップカバー及びボトムカバーの凸条部を嵌入させ
、該トップカバー及びボトムカバーの各連通孔を通してメインシャーシの各ビス孔にビス
をねじ込むだけで、そのフロントパネル及びメインシャーシに対してトップカバー及びボ
トムカバーを一体的に連結させることができ、その連結作業を迅速容易に行うことができ
る。
【００２０】
請求項２に記載の発明は基本形態に対応するものであって、これによれば、トップカバ
ーをフロントパネル及びメインシャーシの上縁部に外嵌させるから、そのトップカバーが
沈み込んでフロントパネルとの間に段差や隙間が生じることがなく、従来の沈み込み防止
用の補強板とそれを止着するためのビスとが不要となり、その不要となった分だけ、部品
点数を少なくして製作費を安くすることができる。
【００２１】
また、従来の補強板に相当するものがないから、その補強板の中央部が下向きに撓んで
ディスク検知用センサーに接触してショート事故を起こすこともなく、安全性に優れてい
る。
【００２２】
更に、環状縁枠によりフロントパネルが前後に動かないようにメインシャーシに固定さ
れているので、そのフロントパネルが従来のように前後に不測に動いてユーザに不快感を
与えることがなく、しかも、操作釦が従来のように相対的に沈み込んでその押し込み操作
が不確実になることもないから、使い勝手がよい。
【００２３】
請求項３に記載の発明によれば、フロントパネルの凹溝にトップカバー及びボトムカバ
ーの凸条部を嵌入させ、該トップカバー及びボトムカバーの各連通孔を通してメインシャ
ーシの各ビス孔にビスをねじ込むだけで、そのフロントパネル及びメインシャーシに対し
てトップカバー及びボトムカバーを一体的に連結させることができ、その連結作業を迅速
容易に行うことができる。
【発明を実施するための最良の形態】
【００２４】
図１〜図５は本発明の実施の一形態であるディスク装置を示し、これは、横置き（また
は縦置き）したスロットイン式ＤＶＤプレーヤであって、トップカバー４及びボトムカバ
ー５が、矩形板状カバー本体４Ａ，５Ａと、該カバー本体４Ａ，５Ａの全周に一体形成し
た平面視略ロ字状の環状縁枠４Ｂ，５Ｂとを有し、フロントパネル３の上縁部及び下縁部
にそのほぼ全幅にわたって凹溝２２，２３が凹設されると共に、該各凹溝２２，２３に対
向してトップカバー４及びボトムカバー５の環状縁枠４Ｂ，５Ｂの前板４ａ，５ａに凸条
部２４，２５が一体突設され、また、前記各凹溝２２，２３に隣接して突条部２２ａ，２
３ａがフロントパネル３に一体形成されると共に、その各突条部２２ａ，２３ａに対向し
てトップカバー４及びボトムカバー５に細溝２４ａ，２５ａが形成され、更に、フロント
パネル３の天板３ａの上面にそのほぼ全幅にわたって横断面略Ｌ字状補強枠２６が一体形
成されると共に、該補強枠２６に複数の上側突片９が一体突設されている。上記以外の構
成及び装置本体１の操作手順は図６〜図９に示す構成及びその操作手順とほぼ同じである
から、同一部分に同一符号を付してその説明を省略する。
【００２５】
組立手順を説明すると、図２及び図４に示すように、トップカバー４及びボトムカバー
５の各凸条部２４，２５を対向する各凹溝２２，２３に嵌入させると共に、該トップカバ
ー４及びボトムカバー５の各細溝２４ａ，２５ａを対向する各突条部２２ａ，２３ａに嵌
合させ、且つ、そのトップカバー４及びボトムカバー５の各フック１３を各フック孔１５
に係合させることにより、トップカバー４及びボトムカバー５をメインシャーシ２の上下
面に被せる。次に、各連通孔１４を通して各ビス孔１６ａにビス１７をねじ込むことによ
り、トップカバー４及びボトムカバー５をフロントパネル３及びメインシャーシ２に固定
する。
【００２６】
上記構成によれば、トップカバー４をフロントパネル３及びメインシャーシ２の上縁部
に外嵌させるから、そのトップカバー４が従来のように沈み込んでフロントパネル３との
間に段差や隙間が生じることがなく、従来の沈み込み防止用補強板７とそれを止着するた
めのビス８とが不要となり（図９参照）、その不要となった分だけ、部品点数を少なくし
て製作費を安くすることができる。
【００２７】
また、従来の補強板７（図９参照）に相当するものがないから、その補強板７の中央部
が下向きに撓んでディスク検知用センサー２０に接触してショート事故を起こすこともな
く、安全性に優れている。
【００２８】
更に、環状縁枠４Ｂ，５Ｂによりフロントパネル３が前後に動かないようにメインシャ
ーシ２に固定されているので、そのフロントパネル３が従来のように前後に不測に動いて
ユーザに不快感を与えることがなく、しかも、操作釦１９ａが従来のように相対的に沈み
込んでその押し込み操作が不確実になることもないから、使い勝手がよい。
【００２９】
また更に、フロントパネル３の凹溝２２，２３にトップカバー４及びボトムカバー５の
凸条部２４，２５を嵌入させ、該トップカバー４及びボトムカバー５の各連通孔１４を通
してメインシャーシ２の各ビス孔１６ａにビス１７をねじ込むだけで、そのフロントパネ
ル３及びメインシャーシ２に対してトップカバー４及びボトムカバー５を一体的に連結さ
せることができ、その連結作業を迅速容易に行うことができる。
【図面の簡単な説明】
【００３０】
【図１】本発明の実施の一形態であるディスク装置の斜視図である。
【図２】同縦断面図である。
【図３】同分解縦断面図である。
【図４】図２のＡ−Ａ矢視図である。
【図５】同分解斜視図である。
【図６】従来例を示す斜視図である。
【図７】同縦断面図である。
【図８】同分解縦断面図である。
【図９】図７のＢ−Ｂ矢視図である。
【符号の説明】
【００３１】
１            装置本体
２            メインシャーシ
２ｄ          メインシャーシの後板
３            フロントパネル
４            トップカバー
４Ａ          トップカバーのカバー本体
４Ｂ          トップカバーの環状縁枠
４ｄ          トップカバーの後板
５            ボトムカバー
５Ａ          ボトムカバーのカバー本体
５Ｂ          ボトムカバーの環状縁枠
５ｄ          ボトムカバーの後板
７            補強板
８            ビス
１４          連通孔
１６ａ        ビス孔
１７          ビス
１８          ディスク挿入口
１９          操作部
１９ａ        操作釦
２０          ディスク検知用センサー
２２，２３    凹溝
２４，２５    凸条部
Ｄ            ディスク
【図１】
2007179617.tif 000003
【図２】
2007179617.tif 000004
【図３】
2007179617.tif 000005
【図４】
2007179617.tif 000006
【図５】
2007179617.tif 000007
【図６】
2007179617.tif 000008
【図７】
2007179617.tif 000009
【図８】
2007179617.tif 000010
【図９】
2007179617.tif 000011